(57)【要約】【課題】通話中に音声でメッセージを発生しても通話の妨げにならない通信装置を提供する。【解決手段】ＤＳＰ６の周波数成分分析部６ｃにより分析された周波数成分を入力する（Ｓ２１）。次に、その分析された周波数成分に基づいて、低周波成分が多いか否かを判断し（Ｓ２２）、低周波成分が多い場合は（Ｓ２２：Ｙｅｓ）、音声再生部６ａが再生する音声が高周波成分を多く含む音声をメッセージメモリ７から読み出すように設定する（Ｓ２３）。高周波成分を多く含む音声は、例えば、女性や、子供音声である。  一方、分析された音声が低周波成分が少ない場合は（Ｓ２２：Ｎｏ）、音声再生部６ａが再生する音声が低周波成分を多く含む音声をメッセージメモリ７から読み出すように設定する（Ｓ２４）。【選択図】図３
2008172579.tif 000002
【特許請求の範囲】
【請求項１】
相手側へ送信する音声を入力する送話器と相手側の音声を出力する受話器とを備え電話回線を介して音声を通信する通信装置において、
前記送話器または受話器により入力される音声の周波数特性を検出する検出手段と、
音声によりメッセージを発生するメッセージ発生手段と、
そのメッセージ発生手段により発生される音声の周波数特性を前記検出手段により検出された音声の周波数特性とは異なるように制御する制御手段とを備えていることを特徴とする通信装置。
【請求項２】
前記送話器または受話器により入力された音声が無音となる時間を計時する計時手段を備え、
前記制御手段は、前記計時手段により所定時間を計時した場合に、音声を発生するように前記メッセージ発生手段を制御することを特徴とする請求項１記載の通信装置。
【請求項３】
前記検出手段は、入力された音声の基本周波数を検出し、
前記制御手段は、前記メッセージ発生手段により発生される音声の基本周波数が前記検出手段により検出された音声の基本周波数とは異なるように前記メッセージ発生手段を制御することを特徴とする請求項１または２記載の通信装置。
【請求項４】
前記メッセージ発生手段は、メッセージを形成する周波数特性がそれぞれ異なる複数の音声を記憶する記憶手段と、その記憶手段に記憶された複数の音声のいずれかを読み出す読出手段とを備え、
前記制御手段は、前記メッセージ発生手段により発生される音声の周波数特性が前記検出手段により検出された周波数特性とは異なるように前記読出手段を制御することを特徴とする請求項１から３のいずれかに記載の通信装置。
【請求項５】
前記メッセージ発生手段により発生された音声の周波数特性を変更するフィルタ手段を備え、
前記制御手段は、前記メッセージ発生手段により発生される音声の周波数特性が前記検出手段により検出された周波数特性とは異なるように前記フィルタ手段を制御することを特徴とする請求項１から４のいずれかに記載の通信装置。
【請求項６】
前記受話器とは別に、前記メッセージ発生手段により発生される音声を発生する音声発生手段を備えていることを特徴とする請求項１から５のいずれかに記載の通信装置。
【請求項７】
前記送話器と受話器とは、筐体の略同一面上に形成され、前記音声発生手段は、前記送話器と受話器とが形成されている面とは異なる面に形成されていることを特徴とする請求項６記載の通信装置。
【請求項８】
前記送話器と受話器とは、それぞれ筐体の使用者の口と耳に対応した部分に形成され、前記音声発生手段は、その部分以外の部分に形成されていることを特徴とする請求項６記載の通信装置。
【発明の詳細な説明】
【技術分野】
【０００１】
本発明は、通信装置に関し、特に通話中にメッセージを発生する通信装置に関するものである。
【背景技術】
【０００２】
電話による通話中に、通話を開始してからの経過時間や、他の着信があった場合に着信があったことなどを報知するメッセージを発生する通信装置が知られている。
【０００３】
特開平９−１１６９５６号公報には、通話が無音となる時点を検出し、その検出された無音となった時に、制御情報を伝送する制御情報伝送装置が開示されている。
【特許文献１】特開平９−１１６９５６号公報
【発明の開示】
【発明が解決しようとする課題】
【０００４】
しかしながら、特許文献１に開示されるように、通話が無音となる時点を検出し、その検出された無音となった時に、使用者に音声によりメッセージを伝える場合には、そのメッセージが通話を妨害する恐れがあった。特に、メッセージが長い場合は、メッセージの音声と相手または使用者の音声とが同時に発生され、通話の妨げになったり、話し手の音声が聞き取れなかったりするという問題点があった。
【０００５】
本発明は、上記問題点を解決するためになされたものであり、通話中に音声でメッセージを発生しても通話の妨げにならない通信装置を提供することを目的とする。
【課題を解決するための手段】
【０００６】
この目的を達成するために、請求項１記載の通信装置は、相手側へ送信する音声を入力する送話器と相手側の音声を出力する受話器とを備え電話回線を介して音声を通信するものであり、前記送話器または受話器により入力される音声の周波数特性を検出する検出手段と、音声によりメッセージを発生するメッセージ発生手段と、そのメッセージ発生手段により発生される音声の周波数特性を前記検出手段により検出された音声の周波数特性とは異なるように制御する制御手段とを備えている。
【０００７】
請求項２記載の通信装置は、請求項１記載の通信装置において、前記送話器または受話器により入力された音声が無音となる時間を計時する計時手段を備え、前記制御手段は、前記計時手段により所定時間を計時した場合に、音声を発生するように前記メッセージ発生手段を制御する。
【０００８】
請求項３記載の通信装置は、請求項１または２記載の通信装置において、前記検出手段は、入力された音声の基本周波数を検出し、前記制御手段は、前記メッセージ発生手段により発生される音声の基本周波数が前記検出手段により検出された音声の基本周波数とは異なるように前記メッセージ発生手段を制御する。
【０００９】
請求項４記載の通信装置は、請求項１から３のいずれかに記載の通信装置において、前記メッセージ発生手段は、メッセージを形成する周波数特性がそれぞれ異なる複数の音声を記憶する記憶手段と、その記憶手段に記憶された複数の音声のいずれかを読み出す読出手段とを備え、前記制御手段は、前記メッセージ発生手段により発生される音声の周波数特性が前記検出手段により検出された周波数特性とは異なるように前記読出手段を制御する。
【００１０】
請求項５記載の通信装置は、請求項１から４のいずれかに記載の通信装置において、前記メッセージ発生手段により発生された音声の周波数特性を変更するフィルタ手段を備え、前記制御手段は、前記メッセージ発生手段により発生される音声の周波数特性が前記検出手段により検出された周波数特性とは異なるように前記フィルタ手段を制御する。
【００１１】
請求項６記載の通信装置は、請求項１から５のいずれかに記載の通信装置において、前記受話器とは別に、前記メッセージ発生手段により発生される音声を発生する音声発生手段を備えている。
【００１２】
請求項７記載の通信装置は、請求項６記載の通信装置において、前記送話器と受話器とは、筐体の略同一面上に形成され、前記音声発生手段は、前記送話器と受話器とが形成されている面とは異なる面に形成されている。
【００１３】
請求項８記載の通信装置は、請求項６記載の通信装置において、前記送話器と受話器とは、それぞれ筐体の使用者の口と耳に対応した部分に形成され、前記音声発生手段は、その部分以外の部分に形成されている。
【発明の効果】
【００１４】
請求項１記載の通信装置によれば、検出手段は、送話器または受話器により入力される音声の周波数特性を検出し、メッセージ発生手段は、音声によりメッセージを発生し、制御手段は、メッセージ発生手段により発生される音声の周波数特性を検出手段により検出された音声の周波数特性とは異なるように制御するので、使用者および通話相手は、メッセージが通信装置により発生されたことを認識し、通話を行っている相手が話したのではないと判断できる。よって、通信装置を介して行われる会話が阻害されることを防止することができる。
【００１５】
請求項２記載の通信装置によれば、請求項１記載の通信装置の奏する効果に加え、送話器または受話器により入力された音声が無音となる時間を計時する計時手段を備え、制御手段は、計時手段により所定時間を計時した場合に、音声を発生するようにメッセージ発生手段を制御するので、通話の途中で会話が中断された場合にメッセージが発生され、より、会話が阻害されることを防止することができる。
【００１６】
請求項３記載の通信装置によれば、請求項１または２記載の通信装置の奏する効果に加え、検出手段は、入力された音声の基本周波数を検出し、制御手段は、メッセージ発生手段により発生される音声の基本周波数が前記検出手段により検出された音声の基本周波数とは異なるようにメッセージ発生手段を制御するので、使用者および通話相手は、相手が話している音声の基本周波数の違いにより、メッセージが通信装置により発生されたことを認識することができる。
【００１７】
請求項４記載の通信装置によれば、請求項１から３のいずれかに記載の通信装置の奏する効果に加え、メッセージ発生手段は、メッセージを形成する周波数特性がそれぞれ異なる複数の音声を記憶する記憶手段と、その記憶手段に記憶された複数の音声のいずれかを読み出す読出手段とを備え、制御手段は、メッセージ発生手段により発生される音声の周波数特性が検出手段により検出された周波数特性とは異なるように読出手段を制御するので、記憶手段に、男性、女性、子供などの音声を記憶し、いずれかを選択してメッセージを発生することができる。よって、使用者および通話相手とは異なる周波数特性の音声でメッセージを発生することができる。
【００１８】
請求項５記載の通信装置によれば、請求項１から４のいずれかに記載の通信装置の奏する効果に加え、メッセージ発生手段により発生された音声の周波数特性を変更するフィルタ手段を備え、制御手段は、メッセージ発生手段により発生される音声の周波数特性が検出手段により検出された周波数特性とは異なるようにフィルタ手段を制御するので、メッセージの周波数特性を使用者および通話相手とは異なるようにすることができるとともに、より聞きやすい音声にすることができる。
【００１９】
請求項６記載の通信装置によれば、請求項１から５のいずれかに記載の通信装置の奏する効果に加え、受話器とは別に、メッセージ発生手段により発生される音声を発生する音声発生手段を備えているので、使用者は、通話を行っている相手ではなく、通信装置がメッセージを発生したことを認識することができる。
【００２０】
請求項７記載の通信装置によれば、請求項６記載の通信装置の奏する効果に加え、送話器と受話器とは、筐体の略同一面上に形成され、音声発生手段は、送話器と受話器とが形成されている面とは異なる面に形成されているので、使用者は、通話を行っている相手ではなく、通信装置がメッセージを発生したことをよりよく認識することができる。
【００２１】
請求項８記載の通信装置によれば、請求項６記載の通信装置の奏する効果に加え、送話器と受話器とは、それぞれ筐体の使用者の口と耳に対応した部分に形成され、音声発生手段は、その部分以外の部分に形成されているので、使用者は、通話を行っている相手ではなく、通信装置がメッセージを発生したことをよりよく認識することができる。
【発明を実施するための最良の形態】
【００２２】
以下、本発明の好ましい実施形態について添付図面を参照して説明する。まず、図１を参照して、本発明による通信装置１の電気的構成について説明する。図１は、通信装置１の電気的構成を示すブロック図である。図１に示すように、通信装置１は、本体装置１５とコードレス電話２０とにより構成され、本体装置１５は、ＣＰＵ（Central  Processing  Unit）２と、ＲＡＭ（Random  Access  Memory）３と、ＲＯＭ（Read  Only  Memory）４と、ＮＣＵ (Network  Control  Unit) ５と、ＤＳＰ（Digital Signal Processor）６と、メッセージメモリ７と、Ｄ／Ａ変換器８と、Ａ／Ｄ変換器９と、無線制御回路１０と、送受話器１１とを主に備えている。
【００２３】
ＣＰＵ２と、ＲＡＭ３と、ＲＯＭ４と、ＮＣＵ５と、ＤＳＰ６とは、バスを介して接続され、ＤＳＰ６には、メッセージメモリ７、Ｄ／Ａ変換器８、Ａ／Ｄ変換器９および無線制御回路１０が接続され、Ｄ／Ａ変換器８、Ａ／Ｄ変換器９は、送受話器１１に接続されている。
【００２４】
ＣＰＵ２は、演算回路であって、ＲＯＭ４に記憶された制御プログラムに従って各種処理を実行する。ＣＰＵ２には、通話タイマ２ａと、無音タイマ２ｂとが備えられ、通話タイマ２ａは、通話が開始された時、計時を開始し、無音タイマ２ｂは、通話が中断されて無音となった時、計時を開始する。
【００２５】
ＣＰＵ２は、通話タイマ２ａが所定時間Ｔを計時し、無音タイマ２ｂが所定時間ｔを計時した場合に定期的なメッセージを発生するように制御する。また、不定期にメッセージを発生する場合は、無音タイマ２ｂが、所定時間ｔを計時した場合にメッセージを発生するように制御する。
【００２６】
定期的なメッセージとしては、時刻や、通話を開始してからの経過時間などを報知するものがあり、不定期なメッセージとしては、第三者から着信があったことを報知したり、電話機能以外に、例えば来客があった場合に報知したりするものがある。
【００２７】
ＲＡＭ３は、ランダムにアクセス可能なメモリであり、ＣＰＵ２が制御プログラムを実行する際に、一次的に変数やパラメータなどを記憶するものであり、フラグを記憶するフラグメモリ３ａが備えられている。
【００２８】
ＮＣＵ５は、電話回線３０との接続を制御する回路で、通信相手を呼び出すためにダイヤル信号を送出し、電話回線のオンとオフを切り替える機能を持つものである。
【００２９】
ＤＳＰ６は、デジタル音声の信号処理を行う集積回路であり、メッセージメモリ７に記憶された種々のメッセージを読み出す機能等を有する音声再生部６ａと、その音声再生部６ａにより発生された音声にフィルタ処理を行うフィルタ部６ｂと、入力される音声の周波数成分の分析を行う周波数成分分析部６ｃとを備えている。
【００３０】
音声再生部６ａは、メッセージメモリ７に記憶されたメッセージを読み出したり、ＮＣＵ５を介して受信された音声を再生してＤ／Ａ変換器８へ出力したり、送受話器１１またはコードレス電話２０により入力された音声をＮＣＵ５に出力するものである。
【００３１】
音声再生部６ａは、メッセージメモリ７に記憶されたメッセージを録音時のサンプリング周波数と同じサンプリング周波数で読み出すことにより、録音された音声と同じ周波数特性で再生する。
【００３２】
フィルタ部６ｂには、デジタルフィルタにより構成される低域通過フィルタや、バンドパスフィルタが形成され、音声再生部６ａにより発生された音声の周波数特性を変更することができる。
【００３３】
周波数成分分析部６ｃは、通話相手の音声の基本周波数を検出したり、当該音声の周波数成分（フォルマント）を検出することができる。周波数成分を検出する方法としては、バンドパスフィルタを複数備え、そのバンドパスフィルタにより分割された各帯域のレベルを検出したり、ＦＦＴ（高速フーリエ変換）を用いて、周波数エンベロープを検出したりする方法などがある。周波数成分分析部６ｃは、ＮＣＵ５を介して入力した通話相手の音声の周波数成分を分析し、分析した結果は、ＣＰＵ２に入力される。
【００３４】
一般に、女性の音声の基本周波数は、男性の音声の基本周波数より約１オクターブ高く（基本周波数が倍である）、周波数成分も、女性の音声の方が、男性の音声の周波数成分より高い。従って、音声の周波数成分を分析することにより、通話相手が男性であるか女性であるかを判別することができる。
【００３５】
メッセージメモリ７は、時間を報知するメッセージや、第三者から電話があった場合に報知するメッセージなどを、女性、男性などの複数の音声で記憶している。従って、音声再生部６ａは、メッセージメモリ７に記憶されているメッセージを選択して読み出すことにより、女性や男性の音声でメッセージを発生することができる。
【００３６】
Ｄ／Ａ変換器８は、ＤＳＰ６により発生されたデジタル音声信号およびＮＣＵ５を介して通信相手が話した音声のデジタル信号をアナログ電気信号に変換し、送受話器１１に出力する。
【００３７】
Ａ／Ｄ変換器９は、送受話器１１に備えられたマイク１１ｃにより変換されたアナログ電気信号を所定のサンプリング周波数でサンプリングしてデジタル信号に変換するものであり、変換されたデジタル信号は、ＮＣＵ５を介して相手に送信される。
【００３８】
無線制御回路１０は、コードレス電話２０と周波数ホッピング方式のスペクトラム拡散技術による無線通信を行うものであり、音声は、デジタル信号で送受される。ＤＳＰ６により発生されたメッセージは、デジタル信号として、フィルタ部６ｂから出力され、無線制御回路１０に入力される。また、ＮＣＵ５により電話回線３０から受信した音声もデジタル信号として無線制御回路１０に入力され、アンテナから無線でコードレス電話２０に送信される。また、コードレス電話２０に入力された音声は、デジタル信号として無線で無線制御回路１０に入力され、周波数成分分析部６ｃに入力されるとともに、ＮＣＵ５に入力され、電話回線３０を介して通話相手に送信される。
【００３９】
送受話器１１は、本体装置１５とは別の筐体１１ａに形成され、コードなどにより電気的に接続され、スピーカ１１ｂ、マイク１１ｃ、背面スピーカ１１ｄ、スイッチ回路１１ｅを備えている。
【００４０】
スピーカ１１ｂとマイク１１ｃとは、筐体１１ａを構成する一つの面に形成され、スピーカ１１ｂは、通常、使用者の耳に、マイク１１ｃは、使用者の口に対向するように保持される。背面スピーカ１１ｄは、スピーカ１１ｂとマイク１１ｃが形成されている面とは異なる部分であって、スピーカ１１ｂとマイク１１ｃとが形成される面とは反対側の背面に形成されている。
【００４１】
スイッチ回路１１ｅは、出力する音声をスピーカ１１ｂから出力するか、背面スピーカ１１ｄから出力するかを切替えるもので、Ｄ／Ａ変換器８により出力された音声が、音声再生部６ａにより発生されたメッセージである場合は、背面スピーカ１１ｄから出力するように切替えられ、Ｄ／Ａ変換器８により出力された音声が、ＮＣＵ５を介して入力された通話相手の音声である場合は、スピーカ１１ｂから出力するように切替えられる。
【００４２】
コードレス電話２０は、筐体２０ａに形成され、アンテナにより無線で本体装置１５と通信を行い、送受話器１１と同様に、スピーカ２０ｂ、マイク２０ｃ、背面スピーカ２０ｄ、スイッチ回路２０ｅを備え、さらに無線制御回路２０ｆを備えている。スピーカ２０ｂ、マイク２０ｃ、背面スピーカ２０ｄ、スイッチ回路２０ｅは、コードレス電話２０のそれぞれに対応する構成と同様の動作を行う。無線制御回路２０ｆは、本体装置１５の無線制御回路１０と無線通信を行うものであって、本体装置１５から受信した音声信号を、アナログ信号に変換し、スイッチ回路２０ｅに出力する。また、無線制御回路２０ｆは、マイク２０ｃに入力された音声を、デジタル信号に変換して、無線で本体装置１５に送信する。従って、このコードレス電話２０を使用することにより、電話回線３０を介して通話を行うことができるとともに、本体装置１５の送受話器１１とも通話を行うことができる。
【００４３】
次に、図２を参照して、ＣＰＵ２が行う通話処理について説明する。図２は、着信があり、送受話器１１を取った場合、または使用者が通話相手にダイヤルした場合に起動される通話処理を示すフローチャートである。なお、この実施形態の処理では、定期的なメッセージとして通話を開始した後の経過時間を所定時間Ｔ（例えば、５分）毎に報知するものとし、不定期なメッセージとしては、第三者から着信があった場合に、着信があったことを報知するものとする。
【００４４】
また、この処理では、フラグ１とフラグ２とが使用され、フラグ１は、通話タイマ２ａが経過時間Ｔを計時して定期的なメッセージを発生する時刻になった場合に１に設定され、その時刻に到達していない場合に０に設定され、フラグ２は、不定期なメッセージを発生する場合に１に設定され、不定期なメッセージを発生しない場合に０に設定される。
【００４５】
まず、電話回線を閉結し（Ｓ１）、使用者と通話相手とは、通話を開始する。次に、通話タイマ２ａ、無音タイマ２ｂが計時する時間を０に設定し、フラグ１およびフラグ２を０に設定するとともに、通話タイマ２ａおよび無音タイマ２ｂが計時を開始するように設定する（Ｓ２）。次に、通話タイマ２ａの計時時間が、所定時間Ｔと等しい、または長いか否かを判断する（Ｓ３）。通話タイマ２ａの計時時間が、所定時間Ｔと等しい、または長い場合は（Ｓ３：Ｙｅｓ）、フラグ１を１に設定する（Ｓ４）。
【００４６】
通話タイマ２ａの計時時間が、所定時間Ｔに達していない場合（Ｓ３：Ｎｏ）、またはＳ４の処理を終了した場合は、第三者から着信があったか否かを判断し（Ｓ５）、第三者から着信があった場合は（Ｓ５：Ｙｅｓ）、フラグ２を１に設定する（Ｓ６）。
【００４７】
第三者から着信がない場合（Ｓ５：Ｎｏ）、またはＳ６の処理を終了した場合は、使用者および通話相手の音声が入力されない無音状態を検出したか否かを判断する（Ｓ７）。
【００４８】
無音状態ではない場合は（Ｓ７：Ｎｏ）、無音タイマ２ｂの計時時間を０に戻し（Ｓ８）、無音状態の場合は（Ｓ７：Ｙｅｓ）、無音タイマ２ｂの計時を継続させる。
【００４９】
次に、無音タイマ２ｂが計時した時間が所定値ｔに等しい、または長いか否かを判断し（Ｓ９）、無音タイマ２ｂが計時した時間が所定値ｔに等しい、または長い場合は（Ｓ９：Ｙｅｓ）、フラグ１が１か否かを判断する（Ｓ１０）。フラグ１が１の場合は（Ｓ１０：Ｙｅｓ）、通話を開始してからの経過時間を報知するメッセージ１を発生し（Ｓ１１）、フラグ１を０に設定する（Ｓ１２）と共に、通話タイマ２ａが計時した時間を０にして再度計時を開始するように設定する（Ｓ１３）。
【００５０】
フラグ１が１ではない場合（Ｓ１０：Ｎｏ）、またはＳ１３の処理を終了した場合は、フラグ２が１か否かを判断する（Ｓ１４）。フラグ２が１の場合は（Ｓ１４：Ｙｅｓ）、第三者から着信があったことを報知するメッセージ２を発生し（Ｓ１５）、フラグ２を０に設定する（Ｓ１６）。
【００５１】
フラグ２が１ではない場合（Ｓ１４：Ｎｏ）、またはＳ１６の処理を終了した場合、または、Ｓ９の判断処理において無音タイマ２ｂが計時した時間が所定時間ｔに達していない場合（Ｓ９：Ｎｏ）は、通話が終了したか否かを判断する（Ｓ１８）。通話が終了した場合は（Ｓ１８：Ｙｅｓ）、回線を開放し（Ｓ１９）、この着信処理を終了し、通話が終了していない場合は（Ｓ１８：Ｎｏ）、Ｓ３の処理に戻る。
【００５２】
次に、図３を参照して、ＣＰＵ２が行う音声処理について説明する。図３は、ＤＳＰ６により発生されるメッセージの周波数特性を制御する音声処理を示すフローチャートである。この音声処理は、通話相手の音声の入力が開始された場合に行われる処理である。
【００５３】
まず、ＤＳＰ６の周波数成分分析部６ｃにより分析された周波数成分を入力する（Ｓ２１）。次に、その分析された周波数成分に基づいて、低周波成分が多いか否かを判断し（Ｓ２２）、低周波成分が多い場合は（Ｓ２２：Ｙｅｓ）、音声再生部６ａが再生する音声が高周波成分を多く含む音声をメッセージメモリ７から読み出すように設定するとともに、フィルタ部６ｂにより形成されるフィルタの周波数特性を、低周波から高周波までを通過させるフラットな特性に設定する（Ｓ２３）。高周波成分を多く含む音声は、例えば、女性や、子供音声である。
【００５４】
一方、分析された音声が低周波成分が少ない場合は（Ｓ２２：Ｎｏ）、音声再生部６ａが再生する音声が低周波成分を多く含む音声をメッセージメモリ７から読み出すように設定するとともに、フィルタ部６ｂにより形成されるフィルタの周波数特性を、低周波から高周波までを通過させるフラットな特性に設定する（Ｓ２４）。Ｓ２３、またはＳ２４の処理を終了した場合は、この音声処理を終了する。
【００５５】
次に、図４を参照して第２の実施形態について説明する。第１の実施形態では、通話相手の音声の周波数成分を分析し、通話相手の周波数成分とは、異なる周波数成分のメッセージをメッセージメモリ７に記憶された複数のメッセージの中から選択することにより発生するものとしたが、第２の実施形態では、メッセージメモリ７から読み出した音声が通過されるフィルタ部６ｂの周波数特性を変更することいより、異なる周波数成分の音声のメッセージを発生する。なお、第２の実施形態では、ＣＰＵ２が行う音声処理だけが異なり、他の構成および処理は、第１の実施形態と同一であるので、その説明は、省略する。
【００５６】
図４は、ＤＳＰ６により発生されるメッセージの周波数成分をＣＰＵ２が制御する音声処理を示すフローチャートである。
【００５７】
まず、ＤＳＰ６の周波数成分分析部６ｃにより分析された周波数成分を入力する（Ｓ３１）。次に、その分析された周波数成分に基づいて、低周波成分が多いか否かを判断し（Ｓ３２）、低周波成分が多い場合は（Ｓ３２：Ｙｅｓ）、音声再生部６ａが所定の音声をメッセージメモリ７から読み出すように設定するとともに、フィルタ部６ｂにより形成されるフィルタの周波数特性を、高周波成分を多く通過させる特性に設定する（Ｓ３３）。
【００５８】
一方、分析された音声が低周波成分が少ない場合は（Ｓ３２：Ｎｏ）、音声再生部６ａが所定の音声をメッセージメモリ７から読み出すように設定するとともに、フィルタ部６ｂにより形成されるフィルタの周波数特性を、低周波成分を多く通過させる特性に設定する（Ｓ３４）。Ｓ３３、またはＳ３４の処理を終了した場合は、この音声処理を終了する。
【００５９】
次に、図５を参照して第３の実施形態について説明する。第１の実施形態では、通話相手の音声の周波数成分を分析し、通話相手の周波数成分とは、異なる周波数成分のメッセージを発生するものとしたが、第３の実施形態では、通話相手の音声の基本周波数を検出し、通話相手の音声の基本周波数とは、異なる基本周波数の音声のメッセージを発生する。なお、第３の実施形態では、ＣＰＵ２が行う音声処理だけが異なり、他の構成および処理は、第１の実施形態と同一であるので、その説明は、省略する。
【００６０】
図５は、ＤＳＰ６により発生されるメッセージの基本周波数をＣＰＵ２が制御する音声処理を示すフローチャートである。まず、ＤＳＰ６の周波数成分分析部６ｃにより分析された周波数成分を入力し、基本周波数を検出する（Ｓ４１）。次に、その検出された基本周波数が、男性の音声の基本周波数の範囲以内であるかを否かを判断する（Ｓ４２）。上述の通り、一般的に、男性の音声の基本周波数は、女性の音声の基本周波数より約オクターブ低いので、基本周波数により、男性の音声と女性の音声とを識別することができる。
【００６１】
検出された基本周波数が、男性の音声の基本周波数の範囲以内である場合は（Ｓ４２：Ｙｅｓ）、音声再生部６ａが女性の音声で記憶されたメッセージを読み出すように設定するとともに、フィルタ部６ｂにより形成されるフィルタの周波数特性を、低周波から高周波までを通過させるフラットな特性に設定する（Ｓ４３）。一方、検出された音声の基本周波数が男性の音声の基本周波数の範囲ではない場合は（Ｓ４２：Ｎｏ）、音声再生部６ａが男性の音声で記憶されたメッセージを読み出すように設定するとともに、フィルタ部６ｂにより形成されるフィルタの周波数特性を、低周波から高周波までを通過させるフラットな特性に設定する（Ｓ４４）。Ｓ４３、またはＳ４４の処理を終了した場合は、この音声処理を終了する。
【００６２】
以上説明したように、上記実施形態では、通話相手の音声の周波数成分を分析し、通話相手の音声の周波数特性とは、異なる周波数特性の音声でメッセージを発生させる。例えば、周波数成分を分析し、通話相手の音声の周波数特性が、低周波成分を多く含む場合は、フィルタの周波数特性を高周波成分を通過するように設定し、通話相手の音声とは異なる周波数成分の音声でメッセージが発生される。
【００６３】
また、通話相手の音声の基本周波数を検出することにより、通話相手が男性であるか女性であるかを判断し、通話相手の音声の基本周波数とは異なる基本周波数の音声でメッセージが発生される。
【００６４】
また、通話が開始された後、無音区間を検出し、無音区間である場合に、メッセージを発生する。したがって、メッセージが長い場合であっても、使用者は、メッセージを相手が話す音声と明確に区別することができるので、通話が妨げられることを防止することができる。
【００６５】
以上、上記実施形態に基づき本発明を説明したが、本発明は、上記実施形態に何ら限定されるものでなく、本発明の趣旨を逸脱しない範囲内で種々の改良変形が可能であることは容易に推察できるものである。
【００６６】
例えば、上記実施形態では、通話相手の音声の周波数成分を分析し、通話相手の音声とは、異なる周波数成分の音声でメッセージを発生するものとしたが、通話相手にも、メッセージが聞こえるので、使用者の周波数成分も分析し、通話相手および使用者の両者の周波数成分とは異なる周波数成分の音声でメッセージを発生するようにしてもよい。
【００６７】
また、上記実施形態では、ＤＳＰ６により周波数成分を分析し、その分析結果をＣＰＵ２が入力して、ＣＰＵ２がＤＳＰ６により発生される音声を制御するものとしたが、ＤＳＰ６内で、制御を行うようにしてもよい。
【００６８】
また、電話を転送することなどにより通話を行う人が代わる場合があるので、通話相手または使用者の音声の周波数成分の分析を繰り返し行うようにしてもよい。
【００６９】
また、上記実施形態では、メッセージは、送受話器１１の背面スピーカ１１ｄまたはコードレス電話２０の背面スピーカ２０ｄから出力されるように構成したが、メッセージと通話相手の声とを合成してスピーカ１１ｂまたは２０ｂから出力してもよい。
【００７０】
また、上記実施形態では、メッセージメモリ７に、基本周波数、または周波数特性が異なる複数の音声のメッセージを記憶し、いずれかを選択することにより再生する音声の基本周波数または周波数特性を設定する場合について記載したが、メッセージメモリ７に記憶されたメッセージを、異なるサンプリング周波数で読み出すことにより、基本周波数、または周波数特性が異なるメッセージを発生するようにしてもよい。
【図面の簡単な説明】
【００７１】
【図１】本発明の実施形態における通信装置の構成を示すブロック図である。
【図２】通話処理を示すフローチャートである。
【図３】音声処理を示すフローチャートである。
【図４】第２の実施形態である音声処理を示すフローチャートである。
【図５】第３の実施形態である音声処理を示すフローチャートである。
【符号の説明】
【００７２】
１              通信装置
２              ＣＰＵ（制御手段）
２ｂ            無音タイマ（計時手段）
６              ＤＳＰ（メッセージ発生手段の一部）
６ａ            音声再生部（読出手段）
６ｂ            フィルタ部（フィルタ手段）
６ｃ            周波数成分分析部（検出手段）
７              メッセージメモリ（記憶手段）
１１            送受話器
１１ａ          筐体
１１ｂ          スピーカ（受話器）
１１ｃ          マイク（送話器）
１１ｄ          背面スピーカ（音声発生手段）
２０            コードレス電話
【図１】
2008172579.tif 000003
【図２】
2008172579.tif 000004
【図３】
2008172579.tif 000005
【図４】
2008172579.tif 000006
【図５】
2008172579.tif 000007